(57)【要約】【目的】清掃作業を行う際に手前側に引いても清掃ヘッドの反転が生ずることなく、ハンドル部を自由に曲げ動かして清掃作業を円滑に行うことができる反転防止機能付き清掃具を提供する。【構成】ハンドル支持部４は、回転軸１９の回りに円弧部１７により回動可能である。鉛直方向の直立状態より鈍角方向には、当接部１６が上面９に当接して略９０°の回動範囲に規制される。従って、ハンドル部５を掴み前後方向に清掃ヘッド２を移動させて清掃する際に、当接部１６によりハンドル支持部４のヘッドプレート８先端縁側への回動が規制される。このため、清掃ヘッド２を手前に引き戻したときに、清掃ヘッド２の下面が裏向けに反転するのを防止する反転防止作用が働いて、清掃ヘッド２の反転が生ずることなく、ハンドル部５を自由に曲げ動かして清掃作業を円滑に行うことができる。【選択図】  図５
2010227175.tif 000002
【特許請求の範囲】
【請求項１】
払拭部材が取着される清掃ヘッドと、前記清掃ヘッド上面に設けた枢支部に、回動端が回動自在に軸支されたハンドル支持部と、前記ハンドル支持部の遊端に取着されたハンドル部とからなる清掃具において、前記回動端及び／又は前記清掃ヘッド上面に前記ハンドル支持部の回動範囲を規制して前記清掃ヘッドの下面が裏向けに反転するのを防止する反転防止部材を設けたことを特徴とする反転防止機能付き清掃具。
【請求項２】
前記反転防止部材は、前記清掃ヘッドの先端縁側に前記ハンドル支持部が回動するとき、前記清掃ヘッド上面に当接して前記ハンドル支持部の前記先端縁側への回動を規制する当接部からなり、前記当接部を前記回動端に設けた請求項１に記載の反転防止機能付き清掃具。
【請求項３】
前記反転防止部材は、前記清掃ヘッドの先端縁側に前記ハンドル支持部が回動するとき、前記回動端の一部に当接して前記ハンドル支持部の前記先端縁側への回動を規制する規制部材からなり、前記規制部材を前記清掃ヘッド上面に突設した請求項１に記載の反転防止機能付き清掃具。
【請求項４】
前記枢支部の軸中心を前記清掃ヘッドの中央から後端縁側に偏心させた請求項２又は３に記載の反転防止機能付き清掃具。
【請求項５】
前記清掃ヘッドは横長扁平形状を有し、前記清掃ヘッドの長辺方向に沿って前記枢支部の中心軸を配置した請求項１〜４のいずれかに記載の反転防止機能付き清掃具。
【請求項６】
前記払拭部材は前記清掃ヘッドの下面から上面に被せて取着される清掃用シートからなる請求項１〜５のいずれかに記載の反転防止機能付き清掃具。
【請求項７】
前記清掃用シートは前記清掃ヘッドの前記下面に対応するシート面に固着した払拭材を有する請求項６に記載の反転防止機能付き清掃具。
【請求項８】
前記払拭部材は基材に多数のモップ繊維を植設したモップからなり、前記清掃ヘッドの下面に前記基材を取着した請求項１〜５のいずれかに記載の反転防止機能付き清掃具。
【発明の詳細な説明】
【技術分野】
【０００１】
本発明は、ハンドル支持部を清掃ヘッド上面に回動自在に設けた清掃具に関し、特には清掃ヘッドが裏向けに反転するのを防止した反転防止機能付き清掃具に関するものである。
【背景技術】
【０００２】
例えば、特許文献１に開示されているように、フローリング床面等の清掃に使用されている清掃具においては、ハンドル部（持手体）が設置されるハンドル支持部の回動端を、清掃ヘッド上面に設けた枢支部に回動自在に軸支して、ハンドル部が自由に曲げ動かしできるようになっている。
【０００３】
図１０の（１０Ａ）は従来のハンドル回動自在式掃除具における清掃ヘッド５０上面の枢支部５１を示す。清掃ヘッド５０の下面側には例えば、払拭用モップ繊維５２が植設されている。清掃ヘッド５０の上面側には、ハンドル支持部５３の回動軸５４を回動自在に軸支する枢支部５１が設けられている。ハンドル支持部５３の遊端には、清掃作業者が掴むハンドル部（図示せず）が連結されている。このハンドル部を掴持して床面５５に沿って清掃ヘッド５０を移動させて、モップ繊維５２による床面の払拭清掃を行うことができる。
【先行技術文献】
【特許文献】
【０００４】
【特許文献１】特開２００８−２９５６５０号公報
【発明の概要】
【発明が解決しようとする課題】
【０００５】
しかしながら、上記従来のハンドル回動自在式掃除具を用いて前後に動かして清掃作業を行う際、ハンドル支持部５３の回動端が枢支部５１において略１８０°回動するため、図１０の（１０Ｂ）に示すように、手前側に清掃ヘッド５０を移動させるとき、清掃ヘッド５０の下端部付近を中心にして回転し、同図（１０Ｃ）に示すように、清掃ヘッド５０の下面が裏向けに反転する問題が生じていた。清掃ヘッド５０の下面が裏向けに反転すると、清掃ヘッド５０を元の状態（前記（１０Ａ）参照）に手作業で戻す必要があり、その際、汚れたモップ繊維５２に手指が触れて汚れが付着したりして、清掃作業を円滑に行う妨げになっていた。勿論、清掃ヘッド５０の下面が裏向けに反転すると、汚れ面が露出して清掃作業者に不快感を与えることにもなる。
【０００６】
本発明は、上記従来の問題に鑑みてなされたものであって、清掃作業を行う際に手前側に引いても清掃ヘッドの反転が生ずることなく、ハンドル部を自由に曲げ動かして清掃作業を円滑に行うことができる反転防止機能付き清掃具を提供することを目的としている。
【課題を解決するための手段】
【０００７】
本発明は、上記課題を解決するために提案されたものであって、本発明の第１の形態は、払拭部材が取着される清掃ヘッドと、前記清掃ヘッド上面に設けた枢支部に、回動端が回動自在に軸支されたハンドル支持部と、前記ハンドル支持部の遊端に取着されたハンドル部とからなる清掃具において、前記回動端及び／又は前記清掃ヘッド上面に前記ハンドル支持部の回動範囲を規制して前記清掃ヘッドの下面が裏向けに反転するのを防止する反転防止部材を設けた反転防止機能付き清掃具である。
【０００８】
本発明の第２の形態は、第１の形態において、前記反転防止部材は、前記清掃ヘッドの先端縁側に前記ハンドル支持部が回動するとき、前記清掃ヘッド上面に当接して前記ハンドル支持部の前記先端縁側への回動を規制する当接部からなり、前記当接部を前記回動端に設けた反転防止機能付き清掃具である。
【０００９】
本発明の第３の形態は、第１の形態において、前記反転防止部材は、前記清掃ヘッドの先端縁側に前記ハンドル支持部が回動するとき、前記回動端の一部に当接して前記ハンドル支持部の前記先端縁側への回動を規制する規制部材からなり、前記規制部材を前記清掃ヘッド上面に突設した反転防止機能付き清掃具である。
【００１０】
本発明の第４の形態は、第２又は第３の形態において、前記枢支部の軸中心を前記清掃ヘッドの中央から後端縁側に偏心させた反転防止機能付き清掃具である。
【００１１】
本発明の第５の形態は、第１〜第４の形態のいずれかにおいて、前記清掃ヘッドは横長扁平形状を有し、前記清掃ヘッドの長辺方向に沿って前記枢支部の中心軸を配置した反転防止機能付き清掃具である。
【００１２】
本発明の第６の形態は、第１〜第５の形態のいずれかにおいて、前記払拭部材は前記清掃ヘッドの下面から上面に被せて取着される清掃用シートからなる反転防止機能付き清掃具である。
【００１３】
本発明の第７の形態は、第１の形態において、前記清掃用シートは前記清掃ヘッドの前記下面に対応するシート面に固着した払拭材を有する反転防止機能付き清掃具である。
【００１４】
本発明の第８の形態は、第１〜第５の形態のいずれかにおいて、前記払拭部材は基材に多数のモップ繊維を植設したモップからなり、前記清掃ヘッドの下面に前記基材を取着した反転防止機能付き清掃具である。
【発明の効果】
【００１５】
本発明は、上記従来の清掃ヘッドの反転現象の対策につき鋭意検討した結果、清掃作業において清掃ヘッドを前進・後退させるうえで、ハンドル支持部の回動範囲が概ね、垂直方向から水平方向の間の略９０°の範囲であれば、前後方向の清掃ヘッドの移動操作を円滑に行える点に着目してなされたものである。
本発明の第１の形態によれば、前記回動端及び／又は前記清掃ヘッド上面に設けた前記反転防止部材により、前記ハンドル支持部の回動範囲を規制して前記清掃ヘッドの下面が裏向けに反転するのを防止するので、前後方向の清掃ヘッドの移動操作を行いながら清掃する際に、清掃ヘッドの反転が生ずることなく、ハンドル部を自由に曲げ動かして清掃作業を円滑に行える反転防止機能付き清掃具を提供することができる。
【００１６】
本発明における前記清掃ヘッドに取着される払拭部材には、クリーニングして再利用可能なモップ繊維の他に、塵埃を拭き取った後は廃棄される、紙や布製の使い捨てタイプの清掃シートを使用することができる。
【００１７】
前記清掃ヘッドへの取着形態は、前記モップ繊維のようにヘッド面に固着される固着形態の他に、前記清掃シートのように脱着自在に取着される形態も含まれる。また、例えば、前記清掃ヘッドの両端部が挿入され取着される袋部を有し、前記袋部の下面を払拭面とした前記払拭部材を用いることができ、この場合には前記袋部の挿着・脱離だけで前記清掃ヘッドへの取着作業を簡単に行うことができる。更に、前記払拭面に払拭材を固着しておけば、前記袋部により挿着・脱離が簡単に行え、清掃作業の手間を削減できると共に、前記払拭材により払拭面の清掃力を向上させることもできる。
【００１８】
本発明は、前記ハンドル支持部の回動中心から前記ハンドル部の先端までの長さが１ｍ超える、所謂、長柄箒タイプの長尺状清掃具に適用できるだけでなく、柄の長さが５０ｃｍ未満の短尺状のものやハンディタイプの清掃具に適用することができる。
【００１９】
本発明の第２の形態によれば、前記回動端に設けた前記当接部により、前記清掃ヘッドの先端縁側に前記ハンドル支持部が回動するとき、前記清掃ヘッド上面に当接して前記ハンドル支持部の前記先端縁側への回動を規制するので、前記当接部を前記回動端に設けるだけで、前記反転防止部材を簡易且つ安価に構成でき、清掃ヘッドの反転が生ずることなく、ハンドル部を自由に曲げ動かして清掃作業を円滑に行える反転防止機能付き清掃具を提供することができる。
【００２０】
本発明の第３の形態によれば、前記清掃ヘッド上面に突設した前記規制部材により、前記清掃ヘッドの先端縁側に前記ハンドル支持部が回動するとき、前記回動端の一部に当接して前記ハンドル支持部の前記先端縁側への回動を規制するので、前記規制部材を前記清掃ヘッド上面に突設するだけで、前記反転防止部材を簡易且つ安価に構成でき、清掃ヘッドの反転が生ずることなく、ハンドル部を自由に曲げ動かして清掃作業を円滑に行える反転防止機能付き清掃具を提供することができる。
【００２１】
本発明の第４の形態によれば、前記枢支部の軸中心を前記清掃ヘッドの中央から後端縁側に偏心させているので、前記偏心によって、前記枢支部の軸中心と前記後端縁の距離が短くなり、清掃ヘッドを後退移動させるときに、床面から前記先端縁が浮き上がらせるモーメントの作用が弱まり、前記当接部又は前記規制部材の規制動作と協働して、前記清掃ヘッドの反転防止効果をより一層向上させることができる。
【００２２】
本発明の第５の形態によれば、横長扁平形状の前記清掃ヘッドの長辺方向に沿って前記枢支部の中心軸を配置したので、短辺方向に前記中心軸を配置した場合に比べて、前記横長扁平形状による清掃範囲を横広に大きくして払拭効率を向上させ、しかも、前記ハンドル支持部の回動範囲を規制して前記清掃ヘッドの下面が裏向けに反転するのを防止する反転防止機能を有し、ハンドル部を自由に曲げ動かして清掃作業を効率的且つ円滑に行える反転防止機能付き清掃具を提供することができる。
【００２３】
本発明の第６の形態によれば、前記清掃ヘッドの下面から上面に被せて取着される清掃用シートを用いて、前記反転防止機能によりハンドル部を自由に曲げ動かして清掃作業を円滑に行える、前記清掃シートの使い捨てタイプの反転防止機能付き清掃具を提供することができる。
【００２４】
前記清掃シートには全体が紙製や布製で構成されたシート材を使用することができるが、特に、本発明の第７の形態によれば、前記清掃ヘッドの前記下面に対応するシート面に固着した、厚手のフェルトや不織布等の払拭材を有する前記清掃シートを用いて、前記払拭材により払拭面の清掃力を向上させ、しかも前記反転防止機能によりハンドル部を自由に曲げ動かして清掃作業を円滑に行える、前記清掃シートの使い捨てタイプの反転防止機能付き清掃具を提供することができる。
【００２５】
本発明の第８の形態によれば、基材に多数のモップ繊維を植設したモップからなる前記払拭部材を使用し、前記清掃ヘッドの下面に前記基材を取着したので、前記反転防止機能によりハンドル部を自由に曲げ動かして清掃作業を円滑に行える、前記モップ固定タイプの反転防止機能付き清掃具を提供することができる。
【図面の簡単な説明】
【００２６】
【図１】本発明に係るシート状清掃具１の外観斜視図である。
【図２】清掃用シート７を清掃ヘッド２に取り付けた状態を示す平面図である。
【図３】シート状清掃具１の枢支部３及びハンドル支持部４の回動端１８を示す一部切り欠き側面図である。
【図４】シート状清掃具１の枢支部３及びハンドル支持部４の回動端１８を示す側面図である。
【図５】シート状清掃具１の反転防止部材１６の反転防止作用を説明するための図である。
【図６】前記反転防止作用を詳細に示すと共に、反転防止部材の変形例を示す図である。
【図７】反転防止部材の別の変形例を示す図である。
【図８】反転防止部材の更に別の変形例を示す図である。
【図９】本発明に用いる払拭部材を示す図である。
【図１０】従来の清掃ヘッドの反転現象を説明するための図である。
【発明を実施するための形態】
【００２７】
以下、本発明に係るシート状清掃具１の実施の形態を図面を参照して詳細に説明する。
図１は清掃用シート（払拭部材）７を取り付ける前のシート状清掃具１の外観斜視図である。図２はシート状清掃具１の清掃ヘッド２に清掃用シート７を取り付けた状態を示す平面図である。
【００２８】
シート状清掃具１は、使い捨て清掃用シート７を使用する、長尺タイプの清掃具であり、清掃用シート７が取着される清掃ヘッド２と、清掃ヘッド２の上面に一体的に設けた枢支部３に、回動端が回動自在に軸支されたハンドル支持部４と、ハンドル支持部４の遊端２０に取着されたハンドル部５を有する。ハンドル部５は全長約１２０ｃｍの長尺状の管材からなり、その先端側にはグリップ部６が取着されている。清掃ヘッド２、ハンドル支持部４及びハンドル部５は合成樹脂の成形加工部材で構成されている。清掃用シート７はフェルト生地、紙や不織布等の矩形シート材からなる。
【００２９】
清掃ヘッド２は、図１及び図２に示すように、横長扁平形状のヘッドプレート８と、ヘッドプレート８の上面９に埋設された、２個の弾性体１０からなる。ヘッドプレート８は上下段に分割形成されていて、幅広の下部本体とこの下部本体に取り付けられる上部本体から構成されており、下部本体はクッション性のよいゴム等の弾性体素材で形成されている。弾性体１０の両端側には、ヘッドプレート８の上面に略楕円形状の凹部１２が凹設されている。弾性体１０の凹部１２に対応する部分には放射状に５本の切り溝１１が形成されていて、この放射状の切り溝１１によって５片に分割されている。
【００３０】
弾性体１０はヘッドプレート８の上面９に設けた凹所に挿着され、係止されて取着される。弾性体１０が長期の使用で劣化したときには、ヘッドプレート８から取り外して、新しい弾性体１０を係着して取り替えることにより、ヘッドプレート８を廃棄することなく繰り返し使用することができる。
【００３１】
清掃用シート７の取着は、ヘッドプレート８の下面側から上面側にかけて清掃用シート７を被せて行われる。取付け方の詳細は、清掃用シート７を折り返した、ヘッドプレート８の上面側の端辺部が、弾性体１０の各切り溝１１部分に指で押し込まれることにより、切り溝１１で分割される分割片の縁部の内部にシート端片が入り込んで係止されて着脱可能な状態で取着される。
【００３２】
図３及び図４は枢支部３及びハンドル支持部４の回動端１８を示す。枢支部３は、回動端１８の幅だけの間隔をあけて突設された、一対の軸支部１３からなる。各軸支部１３には、回動端１８に突設した回転軸１９が嵌入されて軸支する孔部１４が前記間隔に向けて穿設されている。各軸支部１３の中心軸方向はヘッドプレート８の長辺方向に沿って配置されている。従って、ハンドル支持部４はヘッドプレート８の短辺方向に回動自在に軸支されているので、短辺方向に前記中心軸を配置した場合に比べて、横長扁平形状のヘッドプレート８による清掃範囲を横広に大きく利用して払拭効率を向上させている。
【００３３】
回動端１８の上部に溝が切り欠き形成され、その切り欠き部に貫通穴２１が穿設されている。遊端２０の下部２５には前記溝に挿入する回動片が設けられ、その回動片には貫通穴２１に嵌入する回転軸２２が突設されている。即ち、回転軸２２を貫通穴２１に嵌着して軸支することにより、ハンドル支持部４の遊端２０は回動端１８に対して、ヘッドプレート８の長辺方向に回動自在に取着されているので、図３の矢印で示すように、回動端１８の半円形頭部２３の円弧面に沿って接触しながら、下部２５の下部端縁２４が周回する。従って、ハンドル支持部４は回転軸１９及び回転軸２２の軸支機構によって、ヘッドプレート８上面において前後左右に回動自在に支持されている。
【００３４】
図４に示すように、遊端２０の上部２６には、ハンドル部５の管材の下端を外嵌して、内部から押圧支持する押圧部材２７が設けられている。遊端２０の下部２５から上側は中空材で形成され、押圧部材２７は、下端に突部２８を形成した舌片状の形状を有し、中空材の側面にＵ字状に切り欠いた溝２９により片持ち支持されており、樹脂弾性により外側に向けた付勢力を付与する。従って、ハンドル部５の管材の下端を上部２６に外嵌することにより、突部２８が管内面を強固に押圧するので、ハンドル部５が遊端２０から簡単には抜けない抜止防止構造となっている。
【００３５】
シート状清掃具１には、ヘッドプレート８の短辺方向の軸支部１３による、ハンドル支持部４の回動範囲を規制して清掃ヘッド２の下面が裏向けに反転するのを防止する反転防止部材としての当接部１６が回動端１８に設けられている。
【００３６】
図５及び図６の（６Ａ）は当接部１６の反転防止作用を説明するための図である。図５及び図６においては、ヘッドプレート８に被着される清掃用シート７を省略している。
【００３７】
回動端１８は、その下端に設けた回動用円弧部１７と、回転軸１９を挟んで円弧部１７と反対側に突出し、図５の（５Ａ）に示すように、ハンドル支持部４を鉛直方向に起立させたとき、上面９に略並行になる底面を有した凸状当接部１６とからなる。図６の（６Ａ）に示すように、当接部１６の先端部分は、回転軸１９の中心軸から円弧部１７の外周までの回動半径Ｒ１より長い距離Ｒ２（Ｒ２＞Ｒ１）だけ回動軌跡外に突出している。
【００３８】
図５の（５Ｂ）の破線に示すように、ハンドル支持部４は、回転軸１９の回りに円弧部１７により回動可能であるが、（５Ａ）及び（６Ａ）の２点鎖線に示す、鉛直方向の直立状態より鈍角方向には、当接部１６が上面９に当接して略９０°の回動範囲に規制される。従って、ヘッドプレート８を幅広にしてハンドル部５を掴み前後方向に清掃ヘッド２を移動させて清掃する際に、当接部１６によりハンドル支持部４のヘッドプレート８先端縁側への回動が規制される。このため、清掃ヘッド２を手前に引き戻したときに、清掃ヘッド２の下面が裏向けに反転するのを防止する反転防止作用が働いて、清掃ヘッド２の反転が生ずることなく、ハンドル部５を自由に曲げ動かして清掃作業を円滑に行うことができる。本実施形態においては、当接部１６を回動端１８に設けるだけで反転防止部機能を簡易且つ安価に構成できる利点がある。
【００３９】
本発明においては、回動端１８に設ける反転防止部材として、上記当接部１６に限らず、図６の（６Ａ）に示したように、円弧部１７の回動半径Ｒ１より長い距離Ｒ２（Ｒ２＞Ｒ１）だけ回動軌跡外に突出させた形態であれば、同様の反転防止機能を付与することができる。
【００４０】
例えば、図６の（６Ｂ）に示すように、円弧部４２の反対側を直方体形状にし、ハンドル支持部４の鉛直起立状態において突出部分を持たない当接部４１を具備した回動端４０を使用することができる。当接部４１の回動中心からの距離Ｒ３はＲ３＞Ｒ１の関係を満たす。また、同図（６Ｃ）に示すように、円弧部４５の反対側を余分に突出させて、ハンドル支持部４の鉛直起立状態において略直方体形状に突出した当接部４４を具備した回動端４３を使用することができる。回動中心から当接部４４の先端面までの距離Ｒ４はＲ４＞Ｒ１の関係を満たす。
【００４１】
本発明においては、清掃ヘッド２の上面９に設けた反転防止部材を使用することができる。図７は上面９に設けた反転防止部材の変形例を示す。図７において、図１〜図５と同一部材については同じ符号を付している。
この変形例では、半周状に設けた回動用円弧部３３からなる回動端３２を有したハンドル支持部４を使用する。図７の（７Ａ）に示すように、清掃ヘッド２の上面９には、円弧部３３の回動面に対向した円弧面３５を有する規制部材３４が突設されている。
【００４２】
ハンドル支持部４は、回転軸１９の回りに円弧部３３により回動可能であるが、図７の（７Ａ）の２点鎖線に示すように、鉛直方向の直立状態より鈍角方向には、規制部材３４が回動端３２の側面に当接して、同図（７Ｂ）に示す略１００°の回動範囲に規制される。従って、図５の場合と同様に、ハンドル部５を掴み前後方向に清掃ヘッド２を移動させて清掃する際に、規制部材３４によりハンドル支持部４のヘッドプレート８先端縁側への回動が規制される。このため、清掃ヘッド２を手前に引き戻したときに、清掃ヘッド２の下面が裏向けに反転するのを防止する反転防止作用が働いて、清掃ヘッド２の反転が生ずることなく、ハンドル部５を自由に曲げ動かして清掃作業を円滑に行うことができる。規制部材３４の設置は清掃ヘッド２の上面９に突設するだけの構造変形で済むため、掃除具に反転防止機能を簡易且つ安価に構成できる利点がある。
【００４３】
前記実施形態においては、一対の軸支部１３をヘッドプレート８中央に配置している。ここで、枢支部３の軸支部１３の軸中心を清掃ヘッド２の中央から後端縁側に偏心させることにより、床面から清掃ヘッド２の先端縁が浮き上がらせるモーメントの作用を小さくして、反転防止部材による反転防止効果をより高めることができる。
【００４４】
図８は前記偏心処置を施した反転防止部材の更に別の変形例を示す。この変形例は、反転防止部材としての当接部１６を備えたシート状清掃具１に前記偏心処置を適用した場合である。図８においては、図１〜図５と同一部材については同じ符号を付している。
【００４５】
軸支部１３ａは短辺方向のヘッドプレート８中央Ａから距離Ｌだけ離れた位置Ｂに配置され、軸支部１３ａの軸中心が清掃ヘッド２の中央から後端縁Ｃ側に偏心している。この偏心によって、軸支部１３ａの軸中心から後端縁Ｃまでの長さが、軸支部を中央Ａに設置した場合に比べて短くなる。従って、清掃時に清掃ヘッド２を手前に引き戻したとき、床面から清掃ヘッド２の先端縁Ｄが浮き上がらせるモーメントの作用が小さくなるため、清掃ヘッド２を後退移動させるときに床面から先端縁Ｄが浮き上がりにくくなり、当接部１６の回動規制動作と協働して、反転防止効果をより一層高めることができる。勿論、図７の規制部材３４に対しても、清掃ヘッド２の後端縁側への偏心処置を行うことにより、規制部材３４の回動規制動作と協働して、反転防止効果をより一層高めることができる。
【００４６】
シート状清掃具１においては長尺状の清掃具の場合であるが、本発明は、短尺状の清掃具やハンディタイプの清掃具に適用でき、更に、ハンドル部５を伸縮自在にして、作業内容に応じて柄の長さを調整可能にした伸縮タイプの清掃具にも適用するこができる。
【００４７】
本発明は、シート状清掃具１のように、取替可能な清掃シート７を取着する清掃具や、基材に多数のモップ繊維を植設したモップからなる払拭部材を使用した清掃具の他に、種々の払拭部材が取着される清掃具に適用することができる。
図９は別の払拭部材が取着される反転防止機能付き清掃具を示す。図９においては、図１〜図５と同一部材については同じ符号を付している。
図９の（９Ａ）は、清掃用シート７と同様に、ヘッドプレート８の下面側から上面側にかけて被せて取着される取着シート４６を用い、ヘッドプレート８の下面に対応する取着シート４６のシート面に厚手のフェルトや不織布等の払拭材４７が固着された払拭部材を有する清掃具を示す。払拭材４７が固着された取着シート４６の使用により、払拭材４７により払拭面の清掃力を向上させ、しかも本発明に係る反転防止機能によりハンドル部を自由に曲げ動かして清掃作業を円滑に行える、使い捨てシートタイプの清掃具を実現することができる。
【００４８】
図９の（９Ｂ）は、ヘッドプレート８と同様の矩形状ヘッドプレート４８の両端部が挿入され取着される袋部４９ａ、４９ｂを有し、袋部４９ａ、４９ｂの下面を払拭面とした払拭部材４９を用いた反転防止機能付き清掃具を示す。この場合、袋部４９ａ、４９ｂによりヘッドプレート４８に対する払拭部材４９の挿着・脱離が簡単に行えて、清掃作業の手間を削減でき、しかも本発明に係る反転防止機能によりハンドル部を自由に曲げ動かして清掃作業をより円滑に行える反転防止機能付き清掃具を実現することができる。
【００４９】
本発明は、上記実施形態や変形例に限定されるものではなく、本発明の技術的思想を逸脱しない範囲における種々変形例、設計変更などをその技術的範囲内に包含するものであることは云うまでもない。
【産業上の利用可能性】
【００５０】
この発明は、家庭や事務所や工場の床材、及び店舗の床などを清掃するときに用いられ、ハンドル支持部を清掃ヘッド上面に回動自在に設け、清掃ヘッドを自在に動かして清掃作業を円滑に行うことができる反転防止機能付き清掃具を提供することができる。
【符号の説明】
【００５１】
１      シート状清掃具
２      清掃ヘッド
３      枢支部
４      ハンドル支持部
５      ハンドル部
６      グリップ部
７      清掃用シート
８      ヘッドプレート
９      上面
１０    弾性体
１１    切り溝
１２    凹部
１３    軸支部
１３ａ  軸支部
１４    孔部
１６    当接部
１７    円弧部
１８    回動端
１９    回転軸
２０    遊端
２１    貫通穴
２２    回転軸
２３    頭部
２４    下部端縁
２５    下部
２６    上部
２７    押圧部材
２８    突部
２９    溝
３２    回動端
３３    円弧部
３４    規制部材
３５    円弧面
４０    回動端
４１    当接部
４２    円弧部
４３    回動端
４４    当接部
４５    円弧部
４６    取着シート
４７    払拭材
４８    ヘッドプレート
４９    払拭材
４９ａ  袋部
４９ｂ  袋部
５０    清掃ヘッド
５１    枢支部
５２    モップ繊維
５３    ハンドル支持部
５４    回動軸
５５    床面
【図１】
2010227175.tif 000003
【図２】
2010227175.tif 000004
【図３】
2010227175.tif 000005
【図４】
2010227175.tif 000006
【図５】
2010227175.tif 000007
【図６】
2010227175.tif 000008
【図７】
2010227175.tif 000009
【図８】
2010227175.tif 000010
【図９】
2010227175.tif 000011
【図１０】
2010227175.tif 000012